(57)【要約】      （修正有） 【課題】蝶ネクタイあるいは新しいネックウェアを視覚認知出来る状態で容易に装着が出来、かつ、外力が加わった際に蝶ネクタイあるいは新しいネックウェアが傾いたままになる現象を防止できるファッション性の高いネックウェアの装着具を提供する。【解決手段】蝶ネクタイの裏面に一対の本体金具を設け、この本体金具と連結させる為の一対のリムカン１２のそれぞれに丸ゴムを結合させ、一本の丸ゴムの先端には長さ調節に用いるためのアジャスターチェーン１７を結合させ、もう一本の丸ゴムの先端にはアジャスターチェーンの任意の位置に連結する為のカニカン１３を結合し、この丸ゴムにスライドカン１６を貫通させ、スライドカンとアジャスターチェーンとを連結し、装着具３を完成させる。【選択図】図２
0003183171.tif 000002
【実用新案登録請求の範囲】
【請求項１】
蝶ネクタイに代表されるネックウェアに設けられた一対の金具と、
前記一対の金具にそれぞれ一端が結合される第１及び第２の弾性部材と、
前記第１及び第２の弾性部材を結合するアジャスターチェーンと、を有し、
前記アジャスターチェーンは、一方が前記第１の弾性部材の他端に固定されるとともに、他方が前記第２の弾性部材にスライド可能に取付けられており、
前記第２の弾性部材は、他端に前記アジャスターチェーンの任意の箇所に連結可能な連結部材を有する、
ことを特徴とするネックウェアの装着具。
【考案の詳細な説明】
【技術分野】
【０００１】
本考案は、蝶ネクタイを襟元に係止させるネックウェアの装着に関し、使用中における蝶ネクタイの傾きを防止し、蝶ネクタイ着脱動作をより容易にし、ファッション性を高めるネックウェアの装着具に関するものである。
【背景技術】
【０００２】
図９は、ネックウェアとして一般的な簡易型の蝶ネクタイ１の全体図であり、通常は結び部５の片方に本体金具６が、もう片方には布製ベルト４が縫製されていて、これには長さ調整用のエイトカン８と本体金具６と連結させる為の引留金具９を有している。装着の際にはエイトカン８により、予め自身の首周りに合わせて布製ベルト４の長さを調整しておき、襟元で引留金具９を本体金具６に連結させて装着を終了させる。
【考案の概要】
【考案が解決しようとする課題】
【０００３】
しかしながら、一般的な簡易型の蝶ネクタイの装着方法では以下のような問題があった。（１）この一般的な簡易型の蝶ネクタイ１を装着する際には、まず最初にワイシャツの襟元ボタンを外し、図１０（ａ）にあるように、予め襟１０を立てておき、図１０（ｂ）にあるように、襟台１１に布製ベルト４を廻した後に襟１０を下ろして襟元ボタンを掛け直し、図１１のように本体金具６に引留金具９を連結させるという手順であるが、これらの工程は蝶ネクタイを襟元にフィットさせた状態で行う為に視覚認知出来ない状態での手さぐり作業である為に、煩わしく相応の時間を要するものである。
【０００４】
（２）工程を変え、布製ベルト４の全長を長めに伸ばし、視覚認知可能な襟元から離れた距離で本体金具６に引留金具９を連結させた後にエイトカン８を移動させて長さを調節することも可能ではあるが、これは前述の方法に比べて更に困難を極める作業となる。何故ならば、首周りの後方に位置しているエイトカン８を調整するには、首の後ろに手を廻し、視覚認知出来ない手さぐり状態の作業をしなければならないからである。
【０００５】
（３）こういう事情から、前述したように作業者は予め自身の首周りに合わせて布製ベルト４の長さを調整しておく方法を採用するのが一般的であるが、図１１にある作業が困難であるがために、作業者は無意識的に本体金具６と引留金具９を襟元前方へ押し出しながら作業する傾向となり、それは布製ベルト４の全長を引き延ばしてしまうこととなり、結果、本来は、図１２（ａ）のように正常に装着すべきところ、図１２（ｂ）のように装着を完了したものの襟元と蝶ネクタイとの間にだらしない隙間が発生する場合が多々ある。これはファッション的美観を大きく損ねるものである。
【０００６】
（４）また、布製ベルト４にはゴムのような張力が無い為、蝶ネクタイに外的力が加わった場合に図１２（ｃ）のように蝶ネクタイが傾くことがあり、復元力が働かない為ネクタイは傾いたままとなる。これもファッション的美観を大きく損ねるものである。
【０００７】
（５）また、近年は新しいネックウェアが登場していて、これらにも対応する容易で確実でファッション性の高い装着具の誕生が望まれている。
【０００８】
従って、本考案の目的は、蝶ネクタイあるいは新しいネックウェアを視覚認知出来る状態で容易に装着が出来、かつ、外力が加わった際に蝶ネクタイあるいは新しいネックウェアが傾いたままになる現象を防止できるファッション性の高いネックウェアの装着具を提供するものである。
【課題を解決するための手段】
【０００９】
本考案は、上記の目的を達成するために、蝶ネクタイに代表されるネックウェアに設けられた一対の金具と、前記一対の金具にそれぞれ一端が結合される第１及び第２の弾性部材と、前記第１及び第２の弾性部材を結合するアジャスターチェーンと、を有し、前記アジャスターチェーンは、一方が前記第１の弾性部材の他端に固定されるとともに、他方が前記第２の弾性部材にスライド可能に取付けられており、前記第２の弾性部材は、他端に前記アジャスターチェーンの任意の箇所に連結可能な連結部材を有する、ことを特徴とするネックウェアの装着具を提供するものである。
【考案の効果】
【００１０】
本考案は、以上の構成を有するため、襟を立てずに蝶ネクタイあるいは新しいネックウェアを装着開始することができ、襟元から離れた視覚認知可能な位置において蝶ネクタイあるいは新しいネックウェアの装着を完了することができる。また、ワイシャツ襟元へのフィット感が向上したことにより、蝶ネクタイの傾きを防止でき、アジャスターチェーンを用いたことにより装着具全長の調整が容易となり、丸ゴムを用いたことによりファション性を向上させることができる。
【図面の簡単な説明】
【００１１】
【図１】左右に本体金具が付いた蝶ネクタイの裏側を描いた図である。
【図２】装着具の全体図である。
【図３】装着具のアジャスターチェーン部の拡大図である。
【図４】ワイシャツの後方襟部からアジャスターチェーンの余りが垂れ下がっている図である。
【図５】丸ゴムとスライドカン、アジャスターチェーンとスライドカンとの関係を示した拡大図である。
【図６】装着具を用いた際の蝶ネクタイの装着を側方から描いた図である。
【図７】スライドカン（ａ）（ｂ）（ｃ）３種を示した図である。
【図８】近年登場した他のネックウェアとその装着例図である。
【図９】市販されている最も一般的な簡易型の蝶ネクタイの全体図である。
【図１０】（ａ）はワイシャツの襟を立てた状態の正面であり、（ｂ）はその背面である。
【図１１】一般的な簡易型の蝶ネクタイの装着を正面から描いた図である。
【図１２】（ａ）は蝶ネクタイが正常に装着されている図であり（ｂ）は蝶ネクタイが本来の位置よりも下がった状態で装着されている図であり（ｃ）は蝶ネクタイが傾いた状態で装着されている図である。
【考案を実施するための形態】
【００１２】
以下、図面を参照しながら、本考案の実施の形態に係るネックウェアの装着具を詳細に説明する。
図１は、ネックウェアの一例としての蝶ネクタイ２を示す図である。図に示すように、蝶ネクタイ２の結び部５の左右には一対の本体金具６が設けられている。この左右一対の本体金具６に、後述する装着具３のリムカン１２を結合させることにより、本体金具６を左右に常にけん引した状態にすることを可能としている。
【００１３】
図２は、この蝶ネクタイ２を装着するための装着具３を示す図である。
装着具３は、ベルト部にファッション性の高い色付きの一対の丸ゴム１４Ａ，１４Ｂを用いている。丸ゴム１４Ａには、リムカン１２とコラムカン１５がその端部に設けられている。また、丸ゴム１４Ｂには、リムカン１２とカニカン１３がその端部に設けられている。この丸ゴム１４Ｂには、丸ゴム１４Ｂ上を任意にスライドしながら移動可能なスライドカン１６が挿通されている。そして、丸ゴム１４Ｂのスライドカン１６と、丸ゴム１４Ａのコラムカン１５とを、アジャスターチェーン１７で繋いでいる。この繋いだ状態で、カニカン１３をアジャスターチェーン１７の任意の位置に結合することにより装着具３全体の長さを調節できる。なお、アジャスターチェーン１７上には、後述するチェーンの一定位置を目印にするための目印カン１８が設けられる。
【００１４】
装着の概略は、図６にあるように、蝶ネクタイ２にある一対の本体金具６に装着具３にある一対のリムカン１２を連結させて蝶ネクタイ２の装着を完了させる。
【００１５】
図３は、この装着具３が人体首周りの長さに合わせて全長を調節出来る仕組みを説明する図である。  
まず、前提条件として、人体の首周りの長さを規定しておくこととする。人体の首周りの長さは人により様々であるが、一般的に市販されているワイシャツの襟の長さは３７ｃｍ〜４７ｃｍであり、その中間は４２ｃｍである。この首周りの長さの３７ｃｍ〜４７ｃｍと、その中間の４２ｃｍを前提として以下説明を進める。
【００１６】
アジャスターチェーン１７の長さを１０ｃｍとした場合、中間地点（Ｂ地点）２２はアジャスターチェーン１７の端部から内側に５ｃｍの位置にある。そこに目印カン１８を配置する。この目印カン１８のあるＢ地点２２に、カニカン１３を連結させたときに、ワイシャツの襟の長さ４２ｃｍの人が、蝶ネクタイ２を装着した際のジャストフィットの長さに設定したとする。
【００１７】
すると、ワイシャツの襟の長さが３７ｃｍの人の場合は、４２ｃｍの人よりも５ｃｍ短いので、装着具３の全長を５ｃｍ短くすれば良いのであり、中間地点（Ｂ地点）２２よりも５ｃｍ短い地点、つまり５ｃｍ全長が短くなる地点であるＡ地点２１にカニカン１３を連結すれば、３７ｃｍの人にジャストフィットすることになる。
【００１８】
一方、ワイシャツの襟の長さが４７ｃｍの人の場合には、４２ｃｍの人よりも５ｃｍ長いので、中間地点（Ｂ地点）２２よりも５ｃｍ長く設定出来るＣ地点２３にカニカン１３を連結すれば良い。
【００１９】
なお、スライドカン１６が存在しなくても、アジャスターチェーン１７とカニカン１３により装着具３の長さ調節は可能であるが、Ｃ地点からＡ地点にカニカン１３を進めるにつれてアジャスターチェーン１７に余りが生じる。例えば、Ａ地点２１にカニカン１３を連結させた場合、アジャスターチェーン１７の余りは概ね１０ｃｍとなる。そうすると、以下に述べるように、ファッション的美観を損ねる事態を招くので、スライドカン１６の存在は必須要件となる。
【００２０】
図４及び図５は、このスライドカン１６の必要性と効用に付いて説明する図である。
図４は、装着具３を用いた場合の後ろ姿であり、スライドカン１６が存在しなかった場合におけるワイシャツの後ろ部分の襟１０から余ったアジャスターチェーン１７が背中に垂れ下がっている図である。このように、余ったアジャスターチェーン１７が背中に垂れ下がると、見た目がおかしくなり、ファッション的美観を損ねる。
【００２１】
図５は、スライドカン１６に対して丸ゴム１４Bとアジャスターチェーン１７が貫通及び連結されている図であり、丸ゴム１４Bはスライドカン１６にある丸ゴム通し孔１９にきつめの状態で貫通されているが、丸ゴムが持つ弾性により、スライドカン１６を丸ゴム上で移動させることは容易である。スライドカン１６の存在により、アジャスターチェーン１７のＣ地点２３は常に丸ゴム１４B上にあり、結果、図４のようにアジャスターチェーン１７の余りがだらしなく背中に垂れ下がることはない。
【００２２】
図６は、装着具３を用いて蝶ネクタイ２を装着している図である。左右どちらかの本体金具６に一対あるリムカン１２の片方を予め連結させておき、装着具を首に廻した後に、襟元でもう一対のリムカン１２を空いている本体金具６に結合させれば装着は完了する。
【００２３】
本実施の形態では、これまでの布製ベルトに代わり張力のある丸ゴム１４Ａ，１４Ｂを用いているので、丸ゴム１４Ａ，１４Ｂを引き延ばし、襟元から離れて視覚認知出来る位置で本体金具６とリムカン１２との連結作業が可能となっている。指を離すと同時に、蝶ネクタイ２は丸ゴム１４Ａ，１４Ｂが有する張力によりけん引され襟元にフィットする。また、襟元にフィットしている蝶ネクタイ２に外的力が加わった際には、１４A及び１４Bが持つ張力により一対ある本体金具６は左右にけん引されることとなり、結果、図１２（ａ）の状態を維持でき、たとえ一旦は傾いたとしても復元する。
【００２４】
また、丸ゴム１４とアジャスターチェーン１７を１本のひも状に結合及び連結させているので、従来のように、襟１０を立てて装着具を襟台１１にフィットさせ、再び襟を下ろし、襟１０と襟台１１との間に布製ベルト４を挟む、という作業工程を省略できる。つまり、装着具３は、襟を下ろしワイシャツの襟元ボタンを掛けた状態から即座に装着作業に入れるので作業工程を大幅に短縮できる。
【００２５】
なお、スライドカン１６は、図７（ａ）、（ｂ）、（ｃ）のように各種のデザインが可能である。
図７（ａ）は、デザイン性を考慮してスライドカンの全長を長めにして曲げたデザインを採用している。図７（ｂ）はスライドカンを短めにしたデザインであり、図７（ｃ）は菅材を用いたデザインを採用している。いずれの場合も、丸ゴムを貫通させ丸ゴムの弾性を活用出来る径の丸ゴム通し孔１９とアジャスターチェーン１７と連結させる為のチェーン連結孔２０が備わっている。
【００２６】
近年はネクタイに類する各種ネックウェアの誕生があるが、図８はその一例であり、これら他のネックウェア２４の特徴として一対の吊り金具２５が備わっている。本考案の装着具３は、一対のリムカン１２を有しているので、これらネックウェア用の装着具としても最適である。
【００２７】
なお、アジャスターチェーン１７にある目印カン１８の形状は、必ずしも図３にある２例のような丸型に限る必要はない。また、中間であるとか、具体的に何センチの位置であるなどの目印が判断出来るならば、例えば目印カン１８を用いずに着色で目印を付けても良いし、ひも状の目印でも構わない。
【００２８】
リムカン１２、カニカン１３、及びコラムカン１５は、その機能を満足できるならば、本考案にある図と異なるデザインの金具でも構わない。
【００２９】
アジャスターチェーン１７は、カニカン１３と連結可能なチェーンであれば、本考案にある図と異なるデザインでも構わない。
【００３０】
本考案で使用している部材の名称は、市販されている一般的な呼称を採用しているが、用途や機能が同一ならば本書に使用している名称にこだわらない。
【００３１】
以上述べたように、本実施の形態に係る装着具では、蝶ネクタイの裏面に一対の本体金具を設け、この本体金具と連結させる為の一対のリムカンのそれぞれに丸ゴムを結合させ、一本の丸ゴムの先端には長さ調節に用いるためのアジャスターチェーンを結合させ、もう一本の丸ゴムの先端にはアジャスターチェーンの任意の位置に連結する為のカニカンを連結し、この丸ゴムにスライドカンを貫通させ、スライドカンとアジャスターチェーンとを連結し、装着具を完成させる。
【００３２】
装着手順は、アジャスターチェーンの任意の位置にカニカンを連結させて装着具全体の長さを決定しておき、蝶ネクタイに一対ある本体金具の一方に一対あるリムカンの一方を連結させ、ワイシャツの襟を下ろし襟元のボタンを掛けた状態の首周りに装着具を掛け、蝶ネクタイともう一方のリムカンを視覚認知出来る前方へ引き延ばし、視覚で確かめながら蝶ネクタイのもう一方の本体金具にリムカンを連結させ、丸ゴムの持つ張力により蝶ネクタイを襟元にフィットさせ蝶ネクタイの装着を終える。
【００３３】
これにより、襟を立てずに蝶ネクタイあるいは新しいネックウェアを装着開始することができ、襟元から離れた視覚認知可能な位置において蝶ネクタイあるいは新しいネックウェアの装着を完了することができる。また、ワイシャツ襟元へのフィット感が向上したことにより、蝶ネクタイの傾きを防止でき、アジャスターチェーンを用いたことにより装着具全長の調整が容易となり、丸ゴムを用いたことによりファション性を向上させることができる。
【産業上の利用可能性】
【００３４】
日本にネクタイが入って来て１６０年程の歴史があるが、蝶ネクタイの分野では、一本の紐状ネクタイを首に巻いて自ら蝶結びを作るタイプのものと、既に蝶結び部分が形成されていて、それに装着具が縫製されている簡易型蝶ネクタイの二種類があり、近年は簡易型が殆どを占めている。
【００３５】
ところが、一度体験した人ならば、その簡易型のタイプでさえ装着が困難であることに気付いている。また第三者が傾いたままの蝶ネクタイをしている姿を大半の人は見たことがあるのではないか。また、近年になりファッション性を重視した吊り金具を有するネックウェアの登場が目立って来ており、それにより、簡易型の蝶ネクタイは勿論のこと、これらネックウェアに適した容易でスピーディーで確実でファッション性の高い装着具が求められている。
【００３６】
本考案は、簡易型の蝶ネクタイと吊り金具を有するネックウェアに使用する装着具に求められている総ての要件を満足させるものであり、ファッション業界に与える大きな貢献度を期待できる。
【符号の説明】
【００３７】
１  一般的な簡易型の蝶ネクタイ
２  蝶ネクタイ
３  装着具
４  布製ベルト
５  結び部
６  本体金具
８  エイトカン
９  引留金具
１０  襟
１１  襟台
１２  リムカン
１３  カニカン
１４  丸ゴム
１５  コラムカン
１６  スライドカン
１７  アジャスターチェーン
１８  目印カン
１９  丸ゴム通し孔
２０  チェーン連結孔
２１  Ａ地点
２２  Ｂ地点
２３  Ｃ地点
２４  他のネックウェア
２５  吊り金具
【図１】
0003183171.tif 000003
【図２】
0003183171.tif 000004
【図３】
0003183171.tif 000005
【図４】
0003183171.tif 000006
【図５】
0003183171.tif 000007
【図６】
0003183171.tif 000008
【図７】
0003183171.tif 000009
【図８】
0003183171.tif 000010
【図９】
0003183171.tif 000011
【図１０】
0003183171.tif 000012
【図１１】
0003183171.tif 000013
【図１２】
0003183171.tif 000014